【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
（Ａ）グラフィカルユーザインターフェースを介して消費者ユーザが第１のブランドに対する嗜好を表明したことの通知を受け取る動作；
（Ｂ）動作（Ａ）において通知を受け取ったことに応答して、該消費者ユーザに提供するブランド情報を識別する動作；
（Ｃ）識別されたブランド情報に関連する１つまたはそれ以上のデータオブジェクト表現を、グラフィカルユーザインターフェースを介して該消費者ユーザに表示する動作；
（Ｄ）グラフィカルユーザインターフェースを介した該消費者ユーザと該１つまたはそれ以上のデータオブジェクト表現の少なくとも１つの間の対話の通知を受け取る動作；
（Ｅ）動作（Ｄ）において通知を受け取ったことに応答して、該消費者ユーザに提供するアイテム情報を識別する動作であって、該アイテム情報がグラフィカルユーザインターフェースを介して該消費者ユーザにこれまで表示されていない第１のアイテムに関連する、動作；および
（Ｆ）該識別されたアイテム情報を、該消費者ユーザが該第１のアイテムに関する情報を検索していなくとも、グラフィカルユーザインターフェースを介して該消費者ユーザに表示する動作
を含む、方法。
【請求項２】
前記動作（Ｂ）で識別されたブランド情報が、前記第１のブランドに関連する、請求項１に記載の方法。
【請求項３】
前記動作（Ｂ）が、前記第１のブランドに関連するブランド情報をフィルタリングし、前記消費者ユーザに提供するサブセットを識別することを含む、請求項２に記載の方法。
【請求項４】
前記動作（Ｂ）が、前記第１のブランド以外のブランドに関連するブランド情報を識別することを含む。請求項１に記載の方法。
【請求項５】
前記動作（Ｃ）においてグラフィカルユーザインターフェースを介して前記消費者ユーザに表示される１つまたはそれ以上のデータオブジェクト表現が各々、該消費者ユーザか
らの入力を受け取るためのフィールドを含む、請求項１に記載の方法。
【請求項６】
前記動作（Ｃ）が、前記識別されたブランド情報に関連する１つまたはそれ以上のデータオブジェクト表現を、前記消費者ユーザのソーシャルネットワークの連絡先に関連するグラフィカルユーザインターフェースを介して、該消費者ユーザのソーシャルネットワークの連絡先に表示することを含む、請求項１に記載の方法。
【請求項７】
前記動作（Ｄ）で受け取る通知が、前記１つまたはそれ以上のデータオブジェクト表現に関連するアイテムに対する前記消費者ユーザの閲覧、それに対する嗜好の表明、それに関するコメント、それに関する会話への参加、それに関する調査への参加、それに関する意見の提供、それに関する評価の提供、そのクリック、それに関するさらなる情報の要求、その購入、およびそのセールの提供、の少なくとも１つに関するものである、請求項１に記載の方法。
【請求項８】
前記動作（Ｅ）で識別されるアイテム情報が、前記第１のブランドに関連する第１のアイテムに関する、請求項１に記載の方法。
【請求項９】
前記動作（Ｅ）で識別されるアイテム情報が、前記第１のブランドに関連しない第１のアイテムに関する、請求項１に記載の方法。
【請求項１０】
前記動作（Ｅ）が、グラフィカルユーザインターフェースを介して前記消費者ユーザにこれまでに表示されていないアイテムに関するアイテム情報を周期的に識別することを含み、前記動作（Ｆ）が、該周期的に識別されたアイテムの各々に関するアイテム情報を、グラフィカルユーザインターフェースを介して該消費者ユーザに表示することを含む、請求項１に記載の方法。
【請求項１１】
前記第１のブランドおよび１つまたはそれ以上の他のブランドに関連するブランド情報を集約する動作；
該集約されたブランド情報に関連する１つまたはそれ以上のデータオブジェクト表現を、グラフィカルユーザインターフェースを介して前記消費者ユーザに表示する動作、
を含む、請求項１に記載の方法。
【請求項１２】
前記動作（Ｄ）における前記消費者ユーザと特定のブランドに関連するデータオブジェクト表現の間の対話の通知の受け取ったことに応答して、該消費者ユーザのソーシャルネットワークの連絡先に関連するグラフィカルユーザインターフェースを介して、該ソーシャルネットワークの連絡先に該対話を通知する動作を含む、請求項１に記載の方法。
【請求項１３】
前記ソーシャルネットワークの連絡先への通知が、前記消費者ユーザのソーシャルネットワークの連絡先に関連するグラフィカルユーザインターフェースを介して、前記特定のブランドに関連するデータオブジェクト表現を表示することを含み、該特定のブランドに関連するデータオブジェクト表現は、該ソーシャルネットワークの連絡先からの入力を受け取るためのフィールドを含む、請求項１２に記載の方法。
【請求項１４】
前記消費者ユーザに関連するグラフィカルユーザインターフェースを介して、前記ソーシャルネットワークの連絡先により前記フィールドに提供された任意の入力に関連する情報を、該消費者ユーザに表示する動作を含む、請求項１３に記載の方法。
【請求項１５】
前記消費者ユーザに関連するグラフィカルユーザインターフェースを介して、該消費者ユーザにこれまで表示されていない新しいブランドおよび／または新しいアイテムに関する情報を、該消費者ユーザに表示する動作をさらに含む、請求項１に記載の方法。
【請求項１６】
前記動作（Ｄ）における前記消費者ユーザと特定のデータオブジェクト表現の間の対話の通知を受け取ったことに応答して、該特定のデータオブジェクト表現により表されるデータオブジェクトの該消費者ユーザによる嗜好を追跡するシステムの記録を、少なくとも１つの記憶媒体に記憶する動作を含む、請求項１に記載の方法。
【請求項１７】
前記
特定のデータオブジェクト表現により表されるデータオブジェクトに基づいて派生データオブジェクトを生成し、該派生データオブジェクトを前記少なくとも１つの記憶媒体に記憶する動作を含む、請求項１６に記載の方法。
【請求項１８】
前記動作（Ｅ）が：
ブランドにより提供される新しいアイテムに関する情報；
前記消費者ユーザが嗜好を示すカテゴリ内の新しいアイテムに関する情報；
前記第１のアイテムに関する説明情報；
該第１のアイテムに関する購入情報；
該第１のアイテムに関する販売促進情報；
該第１のアイテムに関する画像または映像；
該第１のアイテムに関するレビュー；
該第１のアイテムと共に使用可能な製品に関する情報；および
該第１のアイテムに関するコメント、
の１つまたはそれ以上を含む、前記消費者ユーザに提供するアイテム情報を識別することを含む、請求項１に記載の方法。
【請求項１９】
符号化された命令を有する、少なくとも１つのコンピュータ読み取り可能媒体；および
該命令を介して請求項１〜１８のいずれかに記載の方法を実行するようプログラムされた、少なくとも１つのコンピュータプロセッサ、
を含む、装置。
【請求項２０】
コンピュータシステムにおいて実行されたとき、該コンピュータシステムに請求項１〜１８のいずれかに記載の方法を実行させる命令が記録された、少なくとも１つのコンピュータ読み取り可能媒体。
【請求項２１】
コンピュータシステムであって：
少なくとも１つのデータベースであって、
複数のデータオブジェクトであって、各データオブジェクトは、そのオブジェクトの一意的なオブジェクト識別子と、そのオブジェクトが関連するユーザ、アイテム、または提供者のユーザ識別子、アイテム識別子、または提供者識別子とを含む、複数のデータオブジェクト、ならびに
対象ユーザの対象ユーザ識別子と、対象ユーザをフォローしているユーザのフォロワーユーザ識別子とを含むユーザ関連付けデータオブジェクト、
を記憶する、前記データベース；
少なくとも１つの情報交換コンピュータであって、
対象ユーザが表示インターフェース上で該表示インターフェース上に示されたアイテムまたは提供者に追跡の関心を表明するのに応答して、該対象ユーザと該アイテムまたは提供者が関連するデータオブジェクトの間の関連付けを該少なくとも１つのデータベースに記憶し、
該アイテムまたは提供者の表現を、フォロワーユーザに関連する表示インターフェースを介してフォロワーユーザに提供される情報のフィードに含め、
フォロワーユーザが該フォロワーユーザに関連する表示インターフェース上で該アイ
テムまたは提供者に追跡の関心を表明するのに応答して、該アイテムまたは提供者の表現を、該フォロワーユーザをフォローする少なくとも１人のユーザに提供される情報のフィードに含める、
よう構成された、前記情報交換コンピュータ；
を含む前記コンピュータシステム。